(57)【要約】      （修正有）【課題】スマートホームシステムを提供する。【解決手段】制御終端１と、ネットワーク接続設備２と、セットワークコントロールセンター３と、制御ユニット４と、センサーデバイス５と、スマート終端６とを備える。ガズの漏れに対して即刻の監視をし、かつ早速に制御終端１にフィッドバックすることで、ガス弁を迅速にオフにさせたり警告を行なったりして、家の安全を守ることができる。また、室内の質量、温度や湿度などに対して実時な監視をすることで、室内の電気製品のオンオフを制御することができ、家の安逸性を上げることができる。【選択図】図１
0003219606.tif 000002
【実用新案登録請求の範囲】
【請求項１】
スマートホームシステムであって、制御終端と、ネットワーク接続設備と、セットワークコントロールセンターと、制御ユニットと、センサーデバイスと、スマート終端とを備え、
前記制御終端は、前記ネットワーク接続設備を介して前記セットワークコントロールセンターに制御信号を発信するとともに、前記セットワークコントロールセンターからのフィッドバック信号を受信するものであり、
前記ネットワーク接続設備は、前記制御終端と前記セットワークコントロールセンターとをネットワーク接続させるものであり、
前記セットワークコントロールセンターは、前記制御信号及びフィッドバック信号を受信し処理して、処理された前記制御信号を前記制御ユニットに転送する、及び/又は、処理された前記フィッドバック信号を前記ネットワーク接続設備を介して前記制御終端にフィッドバックするものであり、
前記制御ユニットは、それぞれの前記制御信号をそれぞれの前記スマート終端に転送して前記スマート終端が制御されるとともに、前記センサーデバイスからのセンサー信号を受信して前記フィッドバック信号に処理して前記セットワークコントロールセンターにフィッドバックするよう制御するものであり、
前記センサーデバイスは、それぞれの前記センサー信号を検出して、これらセンサー信号を前記制御ユニットにフィッドバックするものであり、
前記スマート終端は、前記制御ユニットからの制御信号を受信して指令に基づいて動作するものである、
ことを特徴とするスマートホームシステム。
【請求項２】
前記制御終端はモバイル制御終端であることを特徴とする請求項１に記載のスマートホームシステム。
【請求項３】
前記センサーデバイスは、ガスセンサー、温度センサー、湿度センサー及びPM2.5センサーの少なくともいずれかを含むことを特徴とする請求項１に記載のスマートホームシステム。
【考案の詳細な説明】
【技術分野】
【０００１】
本考案は、モノのインターネット技術に関し、特にスマートホームシステムに関する。
【背景技術】
【０００２】
情報技術が絶えずに発展してくるにつれて、モノのインターネット技術も発達している。このモノのインターネット技術とは、様々な情報のセンサーデバイスによって情報の収集と監視が行われることにより、制御の作用がなされるものである。モノのインターネット技術の実用化もますます広がってくる。この実用化が一番行われている分野はスマートホームとはいえる。従来のスマートホームシステムであれば、テレビ、灯り、空気浄化機などのオンオフ制御など、電気製品に対するリモート制御は可能とされている。
【０００３】
従来のスマートホームシステムによっては、暮らしの便利性と安逸性がある程度上げられるが、例えば、台所の安全性について、ガスの漏れがあったとき、即刻の監視をしかつ対応できず、家には、人がいないとか、子供やお年寄りがいる時に、ひどい事故が生じる可能性があること、室内の温度と空気の質量について把握できないため、エアコン及びフレッシュエアシステムを正確的に制御できなくて、エネルギの無駄と電気の不要な損耗に繋がることなど、いろいろな問題が存在している。
【考案の概要】
【考案が解決しようとする課題】
【０００４】
本実用新案の目的は、スマートホームシステムを提供することにあり、上記の課題を解決することにある。
【課題を解決するための手段】
【０００５】
上記の目的を実現するために、本実用新案の技術方案は、以下の通りである。
スマートホームシステムは、制御終端と、ネットワーク接続設備と、セットワークコントロールセンターと、制御ユニットと、センサーデバイスと、スマート終端とを備え、
前記制御終端は、前記ネットワーク接続設備を介して前記セットワークコントロールセンターに制御信号を発信するとともに、前記セットワークコントロールセンターからのフィッドバック信号を受信するものであり、
前記ネットワーク接続設備は、前記制御終端と前記セットワークコントロールセンターとをネットワーク接続させるものであり、
前記セットワークコントロールセンターは、前記制御信号及びフィッドバック信号を受信し処理して、処理された前記制御信号を前記制御ユニットに転送する、及び/又は、処理された前記フィッドバック信号を前記ネットワーク接続設備を介して前記制御終端にフィッドバックするものであり、
前記制御ユニットは、それぞれの前記制御信号をそれぞれの前記スマート終端に転送して前記スマート終端が制御されるとともに、前記センサーデバイスからのセンサー信号を受信して前記フィッドバック信号に処理して前記セットワークコントロールセンターにフィッドバックするよう制御するものであり、
前記センサーデバイスは、それぞれの前記センサー信号を検出して、これらセンサー信号を前記制御ユニットにフィッドバックするものであり、
前記スマート終端は、前記制御ユニットからの制御信号を受信して指令に基づいて動作する。
【０００６】
好ましい方案として、前記制御終端はモバイル制御終端である。
【０００７】
モバイル制御終端として、好ましくはタブレットパソコンである。
【０００８】
好ましい方案として、前記センサーデバイスは、ガスセンサー、温度センサー、湿度センサー及びPM2.5センサーの少なくともいずれかを含む。
【考案の効果】
【０００９】
従来の技術と比較すると、本実用新案の優れた点は、ガズの漏れに対して即刻の監視をし、かつ早速に制御終端にフィッドバックすることで、ガス弁を迅速にオフにさせたり警告を行なったりして、家の安全を守ることができる。また、室内の質量、温度や湿度などに対して実時な監視をすることで、室内の電気製品のオンオフを制御することができ、家の安逸性を上げる点にある。
【図面の簡単な説明】
【００１０】
【図１】図１は、本実用新案の実施例を示す図である。
【考案を実施するための形態】
【００１１】
以下、図面とともに本実用新案について、さらに説明する。
実施例
【００１２】
図１に示すように、スマートホームシステムは、制御終端1と、ネットワーク接続設備2と、セットワークコントロールセンター3と、制御ユニット4と、センサーデバイス5と、スマート終端6とを備え、前記制御終端1は、携帯電話であり、前記ネットワーク接続設備2を介して前記セットワークコントロールセンター3に制御信号を発信するとともに、前記セットワークコントロールセンター3からのフィッドバック信号を受信するものであり、前記ネットワーク接続設備2は、遠い側のウェブページであり、前記制御終端1と前記セットワークコントロールセンター3とをネットワーク接続させるものであり、前記セットワークコントロールセンター3は、前記制御信号及びフィッドバック信号を受信し処理して、処理された前記制御信号を前記制御ユニット4に転送する、及び/又は、処理された前記フィッドバック信号を前記ネットワーク接続設備2を介して前記制御終端1にフィッドバックするものであり、前記制御ユニット4は、スマートパネル41、赤外線変換器42及びスマートソケット43の少なくともいずれかを含み、それぞれの前記制御信号をそれぞれの前記スマート終端6に転送して前記スマート終端6が制御されるとともに、前記センサーデバイス5からのセンサー信号を受信して前記フィッドバック信号に処理して前記セットワークコントロールセンター3にフィッドバックするよう制御するものであり、前記センサーデバイス5は、ガスセンサー51、温度センサー52、湿度センサー53及びPM2.5センサー54の少なくともいずれかを含み、それぞれの前記センサー信号を検出して、これらセンサー信号を前記制御ユニット4にフィッドバックするものであり、前記スマート終端6は、スマートライト61、スマートテレビ62、スマートエアコン63、スマート冷蔵庫64、スマートフレッシュエアシステム65及びスマートガスメータ66の少なくともいずれかを含み、前記制御ユニットからの制御信号を受信して指令に基づいて動作する。
【００１３】
以上の記述は、本実用新案の比較的優れた実施例であって、本実用新案の制限に用いてはならず、本実用新案の精神と原則の範囲内におけるいかなる改変、同等な置換及び改良は、すべて本実用新案の保護範囲内に含まれる。 
【図１】
0003219606.tif 000003